(57)【特許請求の範囲】
【請求項１】
複数の台石を積み重ねてなる墓石，石碑，墓誌，灯篭及びこれらの所定位置に配置される花立て，香炉又は経机のいずれかを含む付属物を有する墓石等の耐震構造において、
前記台石及び前記付属品の底面の中央に、シロ部分を残して凸部を形成し、
前記台石及び前記付属品の上面の中央に、前記凸部を嵌め込んだときに側面と底面とに隙間ができる大きさの凹部を形成し、
前記凹部の底面に、固化する際に膨張する固化材を投入したのちに前記凸部を前記凹部に挿入することで、前記シロ部分まで前記固化材を張り出させて前記隙間に固化材を充填し、
前記隙間は、前記固化材が固化する際の膨張によるくさび効果によって前記凸部を締め付ける寸法であること、
を特徴とする墓等の耐震構造。
【請求項２】
前記固化材がセメントペーストであることを特徴とする請求項１に記載の墓等の耐震構造。
【請求項３】
前記台石を揺動させたときに、この台石に形成された前記凸部の軌跡から、前記凹部及び前記凸部の寸法を決定することを特徴とする請求項１又は２に記載の墓等の耐震構造。
【請求項４】
前記凹部の底面及び前記凸部の端面の少なくとも一方に、溝又は凹凸を形成したことを特徴とする請求項１〜３のいずれかに記載の墓等の耐震構造。
【請求項５】
前記台石の各々の上面に、前記シロと接する部分を除いて、周縁部分に向かって傾斜する排水用の傾斜面を形成したことを特徴とする請求項１〜４のいずれかに記載の墓等の耐震構造。
【請求項６】
前記墓石の最下層に配置される台石である芝台の上部周囲に、墓石移動のためのベルト又はワイヤを引っ掛ける凹状の湾曲部を形成し、かつ、前記湾曲部の上端が、前記芝台の基部よりも小幅に形成されていることを特徴とする請求項１〜５のいずれかに記載の墓等の耐震構造。
【請求項７】
前記墓石の納骨室に連通する納骨孔を前記台石又は前記台石に固定される前記付属品に形成する場合において、前記納骨孔に嵌め込まれる納骨蓋が、前記台石又は前記付属に形成した凹所の中に位置するように前記納骨孔を形成したことを特徴とする請求項１〜６のいずれかに記載の墓等の耐震構造。
【発明の詳細な説明】
【技術分野】
【０００１】
本発明は、地震等の災害時に容易に倒壊しない墓石、石碑，墓誌，灯篭及び花立て等の付属物を含む墓石等の耐震構造に関する。
【背景技術】
【０００２】
一般に墓石は、芝台の上に下台や中台、上台、棹石（佛石）等の複数の台石を積み重ね、香炉や花立て，経机等の付属品を芝台や台石の上に載置した構造となっている。
このような構造の墓石は、積み重ねて載置されているだけであり、地震等の災害時に倒壊する危険性が高く、過去の災害において実際に多くの墓石が倒壊している。そして、いったん墓石が倒壊すると、補修が不可能で経済的負担も大きい。
【０００３】
そこで、地震等の災害時に容易に倒壊しない耐震墓石が従来より種々提案されている。例えば、特許文献１には、接着材を用いて墓石を接着する方法が開示されている。また、特許文献２には、アンカーボルトにより各石材を連結する方法が開示されている。
【０００４】
しかし、特許文献１に記載されているように接着材で固定する方法は、接着材が経時変化により劣化して接着効果が低下し、墓石移転工事の際にはずれたり、接着材による油しみが発生したりするという問題がある。
また、特許文献２に記載されているようにアンカーボルトを挿通させて固定する方法では、アンカーボルトが納骨室の内部に突出して納骨の際の見栄えを悪くしたり、納骨室のスペースを狭くするという問題があるほか、アンカーボルトを挿入するための孔を明けなければならず、神聖な佛石に傷を付けるという悪印象を墓石の所有者に与えるという問題がある。さらに、この方法は手間がかかりコスト高になるという問題もある。また、金属製のアンカーボルトと石材との膨張率の違いから、特に夏季においてアンカーボルトが緩み、地震時に墓石の振動が増幅されるという問題がある。さらに、納骨室内に突出するアンカーボルトが、納骨室内の湿気によって腐食したり劣化したりしやすいという問題もある。
【０００５】
特許文献３に開示されている耐震墓石では、蟻と蟻溝とを棹台と上台石とに形成し、こられを係合させるとともに、蟻と蟻溝との間の隙間にモルタル等のコーキング材を充填する技術が開示されている。この文献３に記載の技術は、特許文献１，２に記載したような問題の多くは解決することができるものの、棹台（佛石）と上台石に蟻と蟻溝とを形成しなければならず加工コストが高くなるばかりか、重量物である棹台を傾けながら蟻溝に蟻を挿入しなければならず、墓石設置の際の作業者の負担と危険が大きくなるばかりか、設置コストも高くなるという問題がある。
【０００６】
また、上記した従来の墓石は、墓石を構成する各部材間の隙間に雨水等が浸入しやすく、侵入した雨水によって墓石や接着材，コーキング材，メジ材の寿命が低下したり、カビ等を発生させる原因となって墓石の見栄えを悪くするという問題がある。
さらに、接着材等を使って各構成部材を一体にした墓石を運搬するには、芝台の下側にベルトを通す必要があることから、墓石をいったん吊り上げて角材やパレットの上に載せ替えなければならず、作業者の作業負担が大きいばかりか、吊り上げ時に墓石の姿勢が不安定になりやすく、移動の際の安全性の確保が大きな課題となっている。
【０００７】
上記したような問題は、墓石に限らず、墓地内に設置される石碑，墓誌，灯篭その他の付属物においても同様である。なお、この明細書では、墓石，石碑，墓誌，灯篭その他の付属物を総称して「墓石等」という。
【特許文献１】特開平１１−９３４６０号公報（図面参照）
【特許文献２】実登３１２２８０１号（図面参照）
【特許文献３】特開２００６−１３２０９０号公報（図２及び段落００２３参照）
【発明の開示】
【発明が解決しようとする課題】
【０００８】
本発明は上記した従来の問題点を一挙に解決するべくなされたもので、第一に、従来の墓石等に簡単な改良を施すだけで実施することができて低コストで、簡単な構成でありながら長期にわたって優れた耐震性を発揮することのできる墓石等の耐震構造を提供すること、第二に、墓石等を構成する各部材間の隙間に雨水等が浸入しにくい墓石等の耐震構造を提供すること、第三に、一体となった墓石等の移動を安全かつ容易に行うとのできる墓石等の耐震構造を提供することを目的とする。
【課題を解決するための手段】
【０００９】
上記課題を解決するために、本発明の墓石等の耐震構造は、複数の台石を積み重ねてなる墓石，石碑，墓誌，灯篭及びこれらの所定位置に配置される花立て，香炉又は経机のいずれかを含む付属物を有する墓石等の耐震構造において、前記台石及び前記付属品の底面の中央に、シロ部分を残して凸部を形成し、前記台石及び前記付属品の上面の中央に、前記凸部を嵌め込んだときに側面と底面とに隙間ができる大きさの凹部を形成し、前記凹部の底面にセメントペーストのように固化する際に膨張する固化材を投入したのちに、前記凸部を前記凹部に挿入することで前記シロ部分まで前記固化材を張り出させて前記隙間に固化材を充填し、前記隙間の寸法は、前記固化材が固化する際の膨張によるくさび効果によって前記凸部を締め付けるように構成してある。
【００１０】
固化材としてはセメントペーストを用いるとよく、市販品を安価に入手することができ、かつ、取り扱いが容易で作業性に優れるという利点があるばかりでなく、固化前は流動性に富むことから凸部と凹部の間の隙間の隅々まで空間を生じさせることなく行き渡り、しかも気泡が生じにくいという利点がある。
【００１１】
前記凹部と前記凸部との間の幅方向の隙間は、一般的な墓石等では、１ｍｍ〜３ｍｍの範囲内とすることができる。さらに、前記凹部の底面及び前記凸部の端面の少なくとも一方に、前記固化材との結合力を高めるための溝又は凹凸を形成してもよい。
このようにすることで、複数の台石と芝台及び付属品が、あたかも一つの石から削成したように一体となった墓石等を構成し、きわめて高い耐震性を得ることができる。
【００１２】
また、本発明では、固化材が、隙間の無い高精度のメジを形成するので、メジ詰め作業が不要になるほか、雨水等の浸入による墓石等の寿命低下を防止することができる。
【００１３】
本発明においては、前記台石の各々及び最下層に配置される台石である芝台の上面に、前記シロと接する部分を除いて、周縁部分に向かって傾斜する排水用の傾斜面を形成してもよい。このようにすることで、墓石等の水捌けがよくなり、前記メジとの相乗効果により、墓石等の寿命をさらに向上させることができる。特に、本発明では、付属品を前記芝台に一体に固定する構成であるため、芝台にも排水用の傾斜面を形成することが可能になった。
【００１４】
また、前記芝台の上部周囲に、墓石移動のためのベルト又はワイヤを引っ掛ける凹状の湾曲部を形成し、かつ、前記湾曲部の上端が、前記芝台の基部よりも小幅に形成してもよい。このようにすることで、前記凹状の湾曲部にベルトやワイヤを引っ掛けて、一体となった墓石を容易に移動することが可能になる。また、前記湾曲部は、基部よりも小さい幅に形成されているので、芝台の一部を壁面に密着させて配置する場合や、工場や倉庫等で芝台どうしを密着させて墓石を保管しているような場合にも、前記凹状の湾曲部にベルトやワイヤを出し入れするための隙間が形成され、前記湾曲部へのベルトやワイヤの引っ掛け及び取り外しが容易になる。また、ベルト等を複数の場所で絞って吊り上げることができるため、吊り上げ時に墓石等の姿勢が安定して、移動時の高い安全性を確保できる。さらに、側面Ｒ加工により、芝台やベルト等を損傷させることなく作業することができる。
なお、上記の構成は他の墓石にも適用が可能である。
本発明のように、台石や香炉，経机等の付属品を一体化した墓石では、納骨室に連通する納骨孔を前記台石や附属品に形成するとともに、この納骨孔に納骨蓋を嵌め込む必要がある。従来は、納骨孔に嵌め込む納骨蓋が墓石の表面と面一または若干突出して設けられており、納骨蓋と納骨孔との隙間から雨水や雪解け水が納骨室まで浸入するおそれがあったほか、納骨蓋と納骨孔との隙間に水が浸入することによって前記隙間に汚れが発生しやすく、さらに、納骨蓋が色落ちしたり、特に金属製の納骨蓋において劣化が早くなる等の種々の問題があった。また、納骨蓋が目立つため、子供等が納骨蓋を開けてしまうという問題もあった。
そこで、このような場合は、前記納骨孔に嵌め込まれる納骨蓋が、前記台石又は前記付属に形成した凹所の中に位置するように前記納骨孔を形成するとよい。
このようにすれば、納骨蓋と納骨孔との間の隙間への雨水や雪解け水の浸入を防止することができ、納骨室への雨水や雪解け水の浸入や前記隙間での汚れの発生及び納骨蓋の色落ちや劣化を効果的に防止することができる。また、既存の台石や付属品をそのまま用いることができるので、墓石の外観を損なうことがなく、納骨蓋が外側から目立たなくなるので、その分、墓石の外観を向上させることができ、子供の悪戯も防止することができる。
【発明の効果】
【００１５】
本発明によれば、例えば全ての構成部材に凸部及び凹部と固化材を適用することで、墓石を構成する全ての構成部材が強固に接合され、あたかも一つの石から墓石を削成したように墓石全体が一体となって、高い耐震性を得ることができる。また、本発明は、従来の墓石の各構成部材に所定の大きさの凸部と凹部とを形成し、その間の隙間に固化材を充填するだけでよいので、低コストで実施することが可能である。
【００１６】
また、排水用の傾斜を台石や芝台に形成することで、墓石の水捌けがよくなり、墓石の寿命を向上させることができる。また、芝台に形成された凹状湾曲部に容易にベルトやワイヤを複数引っ掛けることができるので、一体となった墓石の運搬が容易になるほか、吊り上げ時の姿勢も安定するので、高い安全性を確保することが可能になる。
【発明を実施するための最良の形態】
【００１７】
以下、本発明を好適な一実施形態を、図面を参照しながら詳細に説明する。なお、以下の説明では、複数の台石と芝台（最下層に配置される台石を指す）とから構成される墓石を例に挙げて説明するが、本発明は石碑，墓誌，灯篭その他の付属物にも適用が可能である。
図１は、本発明が適用される墓石の一例を示したもので、その全体構成を説明する斜視図、図２は図１のＩ−Ｉ方向断面図、図３（ａ）は芝台と下台の分解斜視図、同（ｂ）は蓮華の斜視図、図４は香炉や花立て等の付属品の載置部分を示す一部破断の拡大側面図である。
【００１８】
この墓石は、下から順に芝台５、下台４，上台３，蓮華２及び佛石１を積み重ねたもので、下台４の前面に経机６と花立て８が配置され、上台３の前面には香炉７が配置されている。
図２に示すように、芝台５に納骨室１０が形成され、この納骨室１０に納骨するための納骨口９が、下台４の内部に形成されている。なお、図示の例の墓石では、経机６によって納骨口９の開口が閉じられている。図８に、経机６の断面図を示す。経机６の左右の脚６１，６１間の奥には、下台４に密着する経机６の背面と面一の背面壁６２が形成されている。納骨口９に通じる納骨用の貫通孔６３はこの背面壁６２に形成されていて、この貫通孔６３に開閉自在な納骨蓋１４が嵌め込まれる。この納骨蓋１４としては、例えば本願出願人が特開２０００−１９２６９０号公報で開示したものを用いることができる。この公報で開示された技術に基づく納骨蓋１４は、バネの付勢力によりしっかりと貫通孔６３内で保持されるので、地震発生時に納骨蓋が貫通孔６３から脱落することがないという利点がある。
【００１９】
上記のように構成すれば、経机６が固定されていても、納骨室１０への納骨が可能である。また、納骨蓋１４及び貫通孔６３が経机６の左右の脚６１，６１間の奥に位置しているので、納骨蓋１４と貫通孔６３との間の隙間への雨水や雪解け水の浸入を防止することができ、納骨室１０への雨水や雪解け水の浸入を防止することができるだけでなく、前記隙間での汚れの発生及び納骨蓋１４の色落ちや劣化を効果的に防止することができる。また、既存の経机６をほぼそのまま用いることができるので、墓石の外観を損なうことがなく、納骨蓋１４が外側から目立たなくなるので、その分、墓石の外観を向上させることができ、子供の悪戯も防止することができる。
【００２０】
図２に示すように、佛石１，蓮華２，上台３及び下台４の底面には、各々の底面より小さい面積の凸部１ａ，２ａ，３ａ，４ａが形成されている。凸部１ａ，２ａ，３ａ，４ａは、それぞれが形成される前記底面と相似形であってもよいが、異なる形状であってもよい。凸部１ａ，２ａ，３ａ，４ａの大きさ（断面積）は、地震等で墓石に負荷や衝撃が作用しても、凸部１ａ，２ａ，３ａ，４ａが容易に折損等しない十分なものとするのが好ましく、次に説明するシロ１ｃ，２ｃ，３ｃ，４ｃとの関係で、許容される範囲内で前記底面に可能な限り近い大きさとするのが好ましい。
【００２１】
凸部１ａ，２ａ，３ａ，４ａと各底面との間はシロ１ｃ，２ｃ，３ｃ，４ｃとして形成され、佛石１，蓮華２，上台３及び下台４が蓮華２，上台３，下台４及び芝台５の上に載置される際に、シロ１ｃ，２ｃ，３ｃ，４ｃの部分がこれらの上面に当接して重量の一部又は全部を受けるようになっている。特に、セメントペースト等の固化材が固化する前においては、大きな重量がシロ１ｃ，２ｃ，３ｃ，４ｃに作用することになる。そのため、シロ１ｃ，２ｃ，３ｃ，４ｃの幅が小さすぎると、佛石１等の台石や香炉７等の付属品の縁部が欠けたり、ひびが入るおそれがある。シロ１ｃ，２ｃ，３ｃ，４ｃの寸法は、凸部１ａ，２ａ，３ａ，４ａとの関係で可能な限り小さいものであるのが好ましいが、上記した問題が発生しない程度の大きさを有するものでなければならない。具体的に、一般的な墓石では数センチ程度、好ましくは３ｃｍ程度とするのがよい。
【００２２】
蓮華２，上台３及び下台４の上面には、凸部１ａ，２ａ，３ａが嵌装される凹部２ｂ，３ｂ，４ｂが形成される。この凹部２ｂ，３ｂ，４ｂは、凸部１ａ，２ａ，３ａを嵌め込むことができるように、凸部１ａ，２ａ，３ａと同じ形状で、かつ、凸部１ａ，２ａ，３ａよりも若干大きく形成される。また、図３に示すように、納骨室１０が形成された芝台５には、納骨室１０の上方開口周縁に沿って段部５ｂが形成され、この段部５ｂに下台４の凸部４ａが嵌装されるようになっている。段部５ｂは、凸部４ａを嵌め込むことができるように、凸部４ａと同じ形状で、かつ、凸部４ａよりも若干大きく形成される。
【００２３】
なお、この実施形態の墓石では、蓮華２，上台３，下台４及び芝台５の上面は、シロ１ｃ，２ｃ，３ｃ，４ｃと当接する部分を除いて、縁に向かうほどその高さが減じる下向きの傾斜面として形成されている。図３（ａ）に下台４の傾斜面４ｄ及び芝台５の傾斜面５ｄを示すとともに及び図３（ｂ）に蓮華２の傾斜面２ｄを示すが、他の台石（この実施形態では上台３）についても同様であるので、図示は省略する。このようにすることで、蓮華２，上台３，下台４及び芝台５の上面の水はけがよくなり、台石間の境界部分への水の浸入を抑制して、墓石の寿命を向上させることができるほか、カビや水垢等による汚れの発生を防止することができる。
【００２４】
本発明では、墓石本体を構成する各台石（この実施形態では、佛石１，蓮華２，上台３，下台４及び芝台５）だけでなく、経机６，香炉７，花立て８等の付属品も同様の構成で芝台５及び下台４に載置される。
図３及び図４に示すように、芝台５の上面には、花立て８の底部に形成された凸部８ａが嵌め込まれる花立て用凹部５ｇと、経机６の両脚の底部に形成された凸部（図示せず）が嵌め込まれる経机用凹部５ｆが形成されている。また、下台４の上面には、香炉７の底面に形成された凸部７ａが嵌め込まれる香炉用凹部４ｆが形成されている。
【００２５】
そして、上記した各凹部，段部と各凸部との間の隙間には、固化材が充填される。前記した固化材は、固化の際及び固化後に体積減少を生じさせないものであればよい。好ましくは、固化の際及び固化後に体積増加（膨張）を生じさせるものがよい。体積増加によるくさび効果によって凸部が締め付けられ、佛石１等の台石や香炉７等の付属品の接合強度をより強固にする。また、固化材は、固化後にある程度の硬さを有するものが好ましい。このような条件を満たすものの一つとして、セメントペーストを挙げることができる。セメントペーストは、市販品を安価に入手することができ、かつ、取り扱いが容易で作業性に優れるという利点があるばかりでなく、固化前は流動性に富むことから凸部と凹部の間の隙間の隅々まで空間を生じさせることなく行き渡り、しかも気泡が生じにくいという利点がある。
【００２６】
図５は、セメントペーストの充填形態を示した部分拡大断面図である。なお、図５では、上台３と下台４のみを示しているが、他の構成部材についても同様である。
図５（ａ）に示すように、凸部３ａと凹部４ｂとの間の隙間にのみセメントペースト１２を充填するようにしてもよいが、図５（ｂ）に示すように、セメントペースト１２の一部を凸部３ａのシロ３ｃと下台４の上面との間に介在させるようにしてもよい。このようにセメントペースト１２を介在させることで、セメントペースト１２がクッションとなって、墓石に振動が付与された際に上台３の縁部の欠けを防止することができるほか、耐震性をさらに高めることができる。
【００２７】
図５（ｂ）に示すようにセメントペースト１２の一部を凸部３ａのシロ３ｃと下台４の上面との間に介在させるには、凹部４ｂの内部に予めセメントペースト１２を投入しておき、その上から凸部３ａを挿入すればよい。流動性に優れるセメントペースト１２が、凸部３ａの挿入によって凹部４ｂと凸部３ａとの隙間を埋めつつ凹部４ｂの上端から溢れ出す。そして、溢れ出したセメントペースト１２の上にシロ３ｃを載置すれば、凸部３ａのシロ３ｃと下台４の上面との間にセメントペースト１２が介在することになる。シロ３ｃから下台４の上面にはみ出した余分なセメントペースト１２は、ウェスやヘラを使って除去するとよい。余分なセメントペースト１２を除去した後は、上台３と下台４との間の隙間にセメントペーストによるメジ１２ａが形成されるので、隙間を埋めるためのメジ詰め作業が不要になるとともに、空洞が無く精度の高いメジ１２ａを形成することができる点でも有利である。
【００２８】
また、図５（ｃ）に示すように、凹部４ｂの底部や凸部３ａの端面に溝４ｅ，３ｅや凹凸を形成して、セメントペースト１２との接着性が高まるようにしてもよい。特に図示はしないが、溝や凹凸はシロ３ｃや下台４の上面に形成してもよい。
凸部及び凹部とセメントペーストとによって、墓石を構成する全ての構成部材が強固に接合されることで、あたかも一つの石から墓石を削成したように墓石全体が一体となって、高い耐震性を有するようになる。
【００２９】
図６は、凸部及び凹部の寸法決定のための図である。図６では佛石１，蓮華２，上台３，下台４及び芝台５等の台石（台石Ａ，Ｂとする）を例に挙げて説明するが、経机６，香炉７，花立て８等の付属品においても、寸法決定の原理は同じである。
地震等の揺れが発生すると、下方の台石Ｂに載置されている上方の台石Ａは、底面の周縁に位置する揺動中心Ｏを支点に揺動しようとする。このとき、揺動中心Ｏから最も遠い台石Ａの凸部Ａａの端部周縁の揺動軌跡（移動半径を図中ｒで示す）を、図中符号Ｒで示す。この揺動動軌跡Ｒ上に凹部Ｂｂの内壁が位置していれば、すなわち、図中の符号Ｓで示す隙間より小さい隙間（隙間は両側に位置するので実際の寸法はＳ／２）であれば、凸部Ａａが凹部Ｂｂの内壁に当接して、台石Ａは倒壊しない。
【００３０】
凸部Ａａの幅（平面方向の寸法）及び高さ（鉛直方向の寸法），凹部Ｂｂの幅及び高さはこれによって決定することができる。なお、揺れの方向によって揺動中心Ｏの位置が変わるので、揺れの方向に応じて設定した各揺動中心Ｏごとに隙間Ｓの値を求めて、凸部Ａａの幅（平面方向の寸法）及び高さ（鉛直方向の寸法），凹部Ｂｂの幅及び高さを求める。
図示の例では、凸部Ａａと凹部Ｂｂとの間に固化材を充填していないが、固化材（セメントペースト１２）を充填した場合は、前記寸法（Ｓ／２）よりも多少大きくても、倒壊は防止できる。好ましい隙間（Ｓ／２）の範囲は、固化材としてセメントペースト１２を用いた場合、通常の墓石で１ｍｍ〜３ｍｍ程度である。
【００３１】
次に、図７を参照しながら、本発明の墓石の一番下に位置する芝台５に形成された移動用の凹状湾曲部５ｈについて説明する。図７は、芝台に形成した凹状湾曲部の詳細を説明する部分拡大側面図である。
芝台５の側面上部には、凹状湾曲部５ｈが芝台５の全周に亘って形成されている。この凹状湾曲部５ｈの内周面は、移動用のベルト又はワイヤを引っ掛けたときに、芝台５やベルト，ワイヤを傷めることなく高い安全性を確保するために、角を無くした凹形の湾曲状に仕上げ、さらに芝石５の側面のコーナー部も、図３中の符合５ａに示すようにＲ状に加工している。そのため、養生材も不要になる。
【００３２】
また、凹状湾曲部５ｈは芝台５の基部５ｉよりも寸法Ｃだけ小幅に形成されていて、基部５ｉが壁面や他の墓石の芝台と密着しても、寸法Ｃに応じた隙間が形成されるようになっている。そして、この隙間を通して、ベルトやワイヤを凹状湾曲部５ｈに引っ掛けたり、凹状湾曲部５ｈから取り外したりすることができるようになっている。そのため、前記隙間を通して凹状湾曲部５ｈにベルトやワイヤを引っ掛けることで、一体となった墓石を容易に運搬することが可能になる。また、複数のベルト等を引っ掛けることで、墓石の姿勢を安定させることができるので、移動時の高い安全性を確保できる。さらに、凹状湾曲部５ｈの形成位置や形状（デザイン）を適宜に選択することで、芝台５の美観、ひいては墓石の美観を高めることができる。
【００３３】
［実施例］
本発明の発明者は、上記構成の墓石の耐震実験を行った。
使用した墓石は、図１に示すものと同じ構造及び形態で、全高１４５８ｍｍ、全幅７５４ｍｍの御影石製である。
凸部の寸法は、例えば佛石（幅２４４ｍｍ×２４４ｍｍ）において幅１４４ｍｍ×１４４ｍｍ、高さ４８ｍｍとした。シロ部分の幅は５ｃｍであった。この凸部が嵌め込まれる凹部の寸法は、幅１４６ｍｍ×１４６ｍｍ、高さ５３ｍｍとした。幅方向の隙間の寸法は、１ｍｍであるから、これを図６に当て嵌めると、前記揺動軌跡Ｒと凹部の内壁とが交叉する寸法である。
凸部と凹部を全ての構成部材について適用し、セメントペーストを凸部と凹部の隙間に充填した。
そして、墓石を起震機の土台に固定し、最大加速度１１．５／ｍｓ２で揺れを付与した。これは、震度５弱〜中程度の地震に相当する。その結果、墓石に変化は見られなかった。
また、発明者は、上記の実験結果から得られたモデルを使って、種々の揺れを想定したシミュレーションを行った。その結果、本発明の墓石は、過去に日本で発生した阪神・淡路大震災や中越沖地震を含む全ての大地震の揺れに耐えうることがわかった。
【００３４】
本発明の好適な実施形態について説明したが、本発明は上記の実施形態に限定されるものではない。
例えば、上記の説明では、各台石の底面と凸部の形状は相似形であることを前提としているが、凸部の形状は必ずしも前記底面形状に合わせる必要はなく、異なる形状であってもよい。
また、各台石や芝台に形成する排水用の傾斜及び芝台に形成する凹状湾曲部は、本発明の耐震墓石に限らず他の墓石にも適用が可能である。例えば、接着材やアンカーボルトで墓石を一体化したものにも適用が可能である。
さらに、納骨蓋１４及び貫通孔６３を設けるのは経机６に限定されず、香炉や他の台石であってもよい。
さらに、上記の説明では、納骨孔である貫通孔６３と納骨蓋１４の双方が、台石や付属品に形成した凹所の奥に位置するものとして説明したが、少なくとも納骨蓋１４が凹所の奥に位置していればよく、納骨孔は台石や付属品の表面に開口していてもよい。
【産業上の利用可能性】
【００３５】
本発明は、洋式、和式を問わずにあらゆる形態の墓石に適用が可能である。また、墓石に限らず、墓地内に設置される石碑，墓誌，灯篭その他の付属物についても適用が可能である。特に、本発明の納骨蓋１４及び貫通孔６３は、本発明の墓石に限らず、本発明以外の他の墓石にも適用が可能である。
【図面の簡単な説明】
【００３６】
【図１】本発明が適用される墓石の一例を示したもので、その全体構成を説明する斜視図である。
【図２】図１のＩ−Ｉ方向断面図である。
【図３】芝台と下台の分解斜視図である。
【図４】香炉や花立て等の付属品の載置部分を示す一部破断の拡大側面図である。
【図５】セメントペーストの充填形態を示した部分拡大断面図である。
【図６】凸部と凹部の寸法関係を説明するための図である。
【図７】芝台に形成した凹状湾曲部の詳細を説明する部分拡大側面図である。
【図８】納骨蓋及び納骨のための貫通孔を説明するための図で、経机の断面図である。
【符号の説明】
【００３７】
１      佛石
２      蓮華
３      上台
４      下台
５      芝台
１ａ〜４ａ    凸部
２ｂ〜４ｂ    凹部
５ａ          Ｒ状のコーナー部
５ｂ          段部
５ｈ          凹状湾曲部
６            経机
６１          脚
６２          背面壁
６３          貫通孔（納骨孔）
１２          セメントペースト（固化材）
１２ａ        メジ
１４          納骨蓋
【図１】
0005165333.tif 000002
【図２】
0005165333.tif 000003
【図３】
0005165333.tif 000004
【図４】
0005165333.tif 000005
【図５】
0005165333.tif 000006
【図６】
0005165333.tif 000007
【図７】
0005165333.tif 000008
【図８】
0005165333.tif 000009